(57)【要約】  【課題】  操作コードを見栄え良くまとめることができ、構成が簡単で部品点数が少なく、ループ状操作コードにも適用可能で汎用性のあるブラインド操作装置を提供する。  【解決手段】  操作コード１６には補助具１８が取り付けられており、補助具１８には係止部１８ｅが形成され、該係止部１８ｅに操作コード１６の一部が係止可能となっている。補助具１８を持ち上げて、補助具１８の係止部１８ｅに操作コード１６の他の部分を通して係止することで、ヘッドボックス１０付近の上方で操作コード１６を折り重ねることができるので、操作コード１６を見栄え良くまとめることができる。また、人やペットまたは家具等に操作コード１６が引っ掛かることを防止することができる。【選択図】  図３
2006200326.tif 000002
【特許請求の範囲】
【請求項１】
操作コード（１６、３０）を有し、該操作コード（１６、３０）の操作により遮蔽材（１４）を昇降または開閉可能なブラインドの操作装置において、
前記操作コード（１６、３０）には補助具（１８、４０、４２、４４、４６、４８）が取り付けられており、該補助具には係止部（１８ｅ、４０ｂ、４２ｃ、４４ｃ、４４ｄ、４６ｂ、４８ｂ）が形成され、該係止部に操作コード（１６、３０）の一部が係止可能となったことを特徴とするブラインド操作装置。
【請求項２】
前記補助具（４２）の係止部（４２ｃ）は、操作コード（１６）の直径以上の厚みを有する部材に形成されたスリットであることを特徴とする請求項１記載のブラインド操作装置。
【請求項３】
前記補助具（４０）には、操作コード（１６）の他の一部が引っ掛け可能となった引掛部（４０ｃ）が形成されることを特徴とする請求項２記載のブラインド操作装置。
【請求項４】
前記補助具（１８、４２）は、ブラインドに関する説明書が付されたカード状部材（１８ｂ、４２ｂ）を有し、該カード状部材（１８ｂ、４２ｂ）に前記係止部（１８ｅ、４２ｃ）が形成されることを特徴とする請求項１ないし３のいずれか１項に記載のブラインド操作装置。
【請求項５】
補助具（１８、４０、４２、４４、４６、４８）には操作コード（１６，３０）が移動可能に挿通される挿通部（１８ａ、４０ａ、４２ａ、４４ａ、４６ａ、４８ａ）が設けられ、これにより補助具（１８、４０、４２、４４、４６、４８）が操作コード（１６，３０）に移動可能に取り付けられることを特徴とする請求項１ないし４のいずれか１項に記載のブラインド操作装置。
【発明の詳細な説明】
【技術分野】
【０００１】
本発明は、操作コードを有し、該操作コードの操作により遮蔽材を昇降または開閉可能なブラインドの操作装置に関する。
【背景技術】
【０００２】
ブラインドの操作装置では、操作コードが垂下しているために、その垂下する長さが長くなるとじゃまになったり美観を損なったりすることが起こる。かかる問題を解決するためのものとして、例えば、特許文献１に記載されたものが知られている。これによれば、昇降コードの端部に把手兼収納リールが取り付けられており、把手兼収納リールのケース内の支軸にリールが回転自在に支持されており、リール内に巻込みばねが収納されてリールに巻込力が付与され、支軸先端側のリール外周縁の適宜箇所から支軸に向かって爪片が突設され、支軸の先端部に支軸に回転不能かつ摺動可能に制動体が被着され、制動体には爪片とほぼ平行に腕体が突設され、支軸先端部内に収納された反発ばねにより制動体の頭部がケースの弾性壁部に押圧されるか又はケース外に突出されると共に、腕体と爪片が係止されるようになっている。よって、反発ばねにより制動体が押圧されて腕体と爪片とが係止されることで、リールの回転が阻止されるので、ケースを握って昇降コードの昇降操作を行うことができる。また、制動体を反発ばねの反発力に抗して操作することにより、リールが回転して昇降コードを巻取るので、昇降コードの垂下する長さを自在に調整することができるようになっている。
【０００３】
【特許文献１】実公平８−９３５５号公報
【発明の開示】
【発明が解決しようとする課題】
【０００４】
しかしながら、上記特許文献１の把手兼収納リールでは、メカニズムが複雑で部品点数が多く必要となるために製造コストが高騰すると共に、ループ状操作コードには適用できないという問題がある。
【０００５】
また、簡単な構成としては、壁面にフック等を取り付けて、そのフックに操作コードを引っ掛けるようにしたものも提案されているが、壁面にフック等を取り付けることができない場合もあり、汎用性に欠けるという問題がある。
【０００６】
本発明はかかる課題に鑑みなされたもので、構成が簡単で部品点数が少なく、ループ状操作コードにも適用可能で汎用性のある、操作コードを見栄え良くまとめることができるブラインド操作装置を提供することをその目的とする。
【課題を解決するための手段】
【０００７】
前述した目的を達成するために、請求項１記載の発明は、操作コードを有し、該操作コードの操作により遮蔽材を昇降または開閉可能なブラインドの操作装置において、
前記操作コードには補助具が取り付けられており、該補助具には係止部が形成され、該係止部に操作コードの一部が係止可能となったことを特徴とする。係止部は、操作コードに対して摩擦力、弾性力等によって係止力を付与して、操作コードを簡単に取り外せる程度に拘束するものである。
【０００８】
請求項２記載の発明は、請求項１記載の前記補助具の係止部が、操作コードの直径以上の厚みを有する部材に形成されたスリットであることを特徴とする。
【０００９】
請求項３記載の発明は、請求項２記載の前記補助具に、操作コードの他の一部が引っ掛け可能となった引掛部が形成されることを特徴とする。
【００１０】
請求項４記載の発明は、請求項１ないし３のいずれか１項に記載の前記補助具が、ブラインドに関する説明書が付されたカード状部材を有し、該カード状部材に前記係止部が形成されることを特徴とする。
【００１１】
請求項５記載の発明は、請求項１ないし４のいずれか１項に記載の前記補助具には操作コードが移動可能に挿通される挿通部が設けられ、これにより補助具が操作コードに移動可能に取り付けられることを特徴とする。
【発明の効果】
【００１２】
本発明によれば、操作コードに取り付けられた補助具の係止部に、操作コードの一部を係止することで、操作コードを折り重ねることができる。こうして、構成が簡単で少ない部品点数で、操作コードを見栄え良くまとめることができる。また、ループ状操作コードや壁面にフックが取付不可の場合にも適用可能であるため汎用性を持たせることができる。
【００１３】
請求項２記載の発明によれば、操作コードが、スリットに係止される際に、そのスリットを通過する前後で屈曲することができて、これによって操作コードの係止力を高めることができるようになる。
【００１４】
請求項３記載の発明によれば、さらに、補助具に形成された引掛部に操作コードを引っ掛けるようにしたことで、余った操作コードを折り重ねて、よりコンパクトにまとめることができる。
【００１５】
請求項４記載の発明によれば、補助具がブラインドに関する説明書を兼ねることができる。
【００１６】
請求項５記載の発明によれば、操作コードに対して補助具の位置を任意の位置に移動させることができるので、操作コードをまとめるのに適するように補助具を適宜配置することができる。
【発明を実施するための最良の形態】
【００１７】
以下、図面を用いて本発明の実施の形態を説明する。
【００１８】
図１は、本発明の第１実施形態によるブラインド操作装置を含むブラインドを表す正面図、図２は図１のブラインドの側面図である。
【００１９】
図において、このブラインドの例は、横型ブラインドの例であるが、これ以外にロールスクリーン、プリーツスクリーン、ローマンシェード等の任意の遮蔽材を有するブラインドとすることができる。横型ブラインドは、ブラインド支持部材としてのヘッドボックス１０を有しており、ヘッドボックス１０から垂下される複数のラダーコード１２によって遮蔽材であるスラット１４が上下方向に整列状態で支持されている。また、ヘッドボックス１０からはスラット１４を挿通してスラット１４の下方に設けられたボトムレール１５に取り付けられた複数の昇降コード１３が垂下される。
【００２０】
ヘッドボックス１０の一端部からは、操作コード１６が垂下されている。操作コード１６はループ状コードであり、その上端はヘッドボックス１０内に設けられた図示しないプーリに巻き掛けられている。プーリを回転させることにより、ヘッドボックス１０内に設けられた回転軸が回転し、ラダーコード１２が傾動するか、または昇降コードが昇降し、スラット１４の回転即ち開閉及び／またはスラット１４の昇降をさせることができる。
【００２１】
操作コード１６には補助具１８が吊り下げられており、具体的には補助具１８は、図４に示したように、挿通部であるリング１８ａを有しており、該リング１８ａに操作コード１６が挿通されている。リング１８ａは操作コード１６に対して後から取り付けることができる。
【００２２】
補助具１８は、カード状の部材１８ｂを有しており、該部材１８ｂは合成樹脂、金属、紙、布等の任意の材料から構成することが可能である。そして、補助具１８のカード状部材１８ｂには、適宜位置にスリット１８ｃを介した開口１８ｄからなる係止部１８ｅが１つ以上形成されている。さらに、カード状部材１８ｂの係止部１８ｅ以外の部分には、ブラインドの操作方法・使用注意といった文字や絵によるブラインドに関する説明書を印刷または貼付等により適宜付すことができる。
【００２３】
以上の操作コード１６及び補助具１８とからなるブラインドの操作装置において、操作コード１６を操作して移動させることにより、図示しない公知の操作力伝達部材を介してスラット１４の昇降または開閉動作を行なわせることができる。このように操作コード１６を操作しているときには、補助具１８は非使用状態にあり、補助具１８は操作される操作コード１６に対して相対移動して常に自重によってそのループの最下部分から吊り下げられている。このため、補助具１８は操作コード１６の操作の邪魔になることはない。
【００２４】
反対に、ブラインドの操作を行わない操作コード１６の非使用状態にあるときには、補助具１８を使用する。具体的には、補助具１８を操作コード１６に対して持ち上げて、補助具１８の係止部１８ｅのスリット１８ｃに操作コード１６の他の部分を通して係止する（図３及び図５）。係止部１８ｅが複数ある場合に、必要に応じて、別の係止部１８ｅに操作コード１６の他の部分を通して係止する。これにより、ヘッドボックス１０付近の上方で操作コード１６を一重以上の何重にも折り重ねて拘束することができるので、操作コード１６を見栄え良くまとめることができる。また、人やペットまたは家具等に操作コード１６が引っ掛かることを防止することができる。
【００２５】
尚、係止部１８ｅの位置及び数は、図示したものに限定されることなく、任意の位置及び数を形成することが可能である。また、この例では、カード状部材１８ｂの開口１８ｄから係止部１８ｅを構成したが、これに限るものではなく、例えば、カード状部材の縁部にフックを形成することにより係止部を構成することも可能である。
【００２６】
図６は、図３の補助具を他の操作コードに取り付けた場合を表している。図６の横型ブラインドの操作コード３０は、ヘッドボックス１０の一端部から垂下する複数の昇降コード３２と、複数の昇降コード３２を束ねる操作つまみ３４と、操作つまみ３４とボトムレール１５とを連結する補助コード３６とから構成される。
【００２７】
この例では、操作コード３０の補助コード３６に補助具１８が吊り下げられており、具体的には補助具１８の挿通部であるリング１８ａに補助コード３６が挿通されている。
【００２８】
操作つまみ３４を上下動操作して昇降コード３２を移動させることによりスラット１４が昇降するが、スラット１４が上昇すると、その分だけ操作コード３０を構成する昇降コード３２の垂下長さが長くなり、見栄えが悪くなる。
【００２９】
そのため、操作コード３０の操作後、図７に示すように、補助具１８を操作コード３０に対して持ち上げて、補助具１８の係止部１８ｅに昇降コード３２の部分または補助コード３６の他の部分を通して係止する。これにより、ヘッドボックス１０付近の上方で操作コード３０を折り重ねることができるので、操作コード３０を見栄え良くまとめることができる。また、人やペットまたは家具等に操作コード３０が引っ掛かることを防止することができる。
【００３０】
尚、図示した例では、操作コード３０が、昇降コード３２、操作つまみ３４及び補助コード３６から構成されていたが、これに限るものではなく、補助コードが設けられていない場合であっても同様に適用することができ、その場合には、補助具を昇降コードに取り付ければよい。
【００３１】
図８及び図９は、本発明のブラインド操作装置の第２実施形態を表す図である。この実施形態の補助具４０は、挿通部であるリング４０ａを有しており、該リング４０ａに操作コード１６（または３０でもよい）が挿通されている。
【００３２】
補助具４０は、さらに、内部のスプリング４１によって閉じる方向へと付勢された係止部としての挟持部４０ｂと、係止部４０ｂの開閉操作を行なうためのつまみを兼ねる引掛部４０ｃとを有している。
【００３３】
以上の操作コード１６及び補助具４０とからなるブラインドの操作装置においては、操作コード１６を操作して移動させることにより、図示しない公知の操作力伝達部材を介してスラット１４の昇降または開閉動作を行なわせることができる。このように操作コード１６を操作しているときには、補助具４０は非使用状態にあり、補助具４０は操作される操作コード１６に対して自重によって常にそのループの最下部分から吊り下げられている。このため、補助具４０は操作コード１６の操作の邪魔になることはない。
【００３４】
反対に、ブラインドの操作を行わない操作コード１６の非使用状態にあるときには、補助具４０を使用する。具体的には、補助具４０を持上げて、補助具４０の挟持部４０ｂに操作コード１６の他の部分を挟持させて係止する。また、必要に応じて補助具４０の引掛部４０ｃに操作コード１６の他の部分を引っ掛ける。これにより、ヘッドボックス１０付近の上方で操作コード１６を折り重ねることができるので、操作コード１６を見栄え良くまとめることができる。また、人やペットまたは家具等に操作コード１６が引っ掛かることを防止することができる。操作部を兼ねた引掛部４０ｃによって何重にも操作コード１６をまとめることができるようになる。
【００３５】
図１０〜図１２は、本発明のブラインド操作装置の第３実施形態を表す図である。この実施形態の補助具４２は、挿通部である環状ボールチェーン４２ａを有しており、該環状ボールチェーン４２ａに操作コード１６（または３０でもよい）が挿通されている。
【００３６】
補助具４２は、厚みのあるカード状の部材４２ｂを有しており、該部材４２ｂは、合成樹脂、紙等から構成することが可能である。厚みとしては、操作コード１６の外径と同じかまたは外径より大きくすると好ましい。そして、補助具４２には、その一辺から係止部としてのスリット４２ｃが複数、互いに平行に形成されている。
【００３７】
以上の操作コード１６及び補助具４２とからなるブラインドの操作装置においては、操作コード１６を操作して移動させることにより、図示しない公知の操作力伝達部材を介してスラット１４の昇降または開閉動作を行なわせることができる。このように操作コード１６を操作しているときには、補助具４２は非使用状態にあり、補助具４２は操作される操作コード１６に対して自重によって常にそのループの最下部分から吊り下げられている。このため、補助具４２は操作コード１６の操作の邪魔になることはない。
【００３８】
反対に、ブラインドの操作を行わない操作コード１６の非使用状態にあるときには、補助具４２を使用する。具体的には、補助具４２を持上げて、補助具４２の複数のスリット４２ｃのいずれかに操作コード１６の他の部分を通して係止する。また、必要に応じて他のスリット４２ｃに操作コード１６の他の部分を係止する。スリット４２ｃは厚みのある部材４２ｂに形成されているために、操作コード１６をスリット４２ｃと広い面積で接触させることができると共に、図１２に示すように、操作コード１６がスリット４２ｃを挿通するときのカード状の部材４２ｂの表面と裏面とにおいて操作コード１６が屈曲するために、簡単な構成であっても操作コード１６を確実に係止することができる。
【００３９】
これにより、ヘッドボックス１０付近の上方で操作コード１６を折り重ねることができるので、操作コード１６を見栄え良くまとめることができる。また、人やペットまたは家具等に操作コード１６が引っ掛かることを防止することができる。
【００４０】
図１３及び図１４は、本発明のブラインド操作装置の第４実施形態を表す図である。この実施形態の補助具４４は、挿通部であるリング４４ａを有しており、該リング４４ａに操作コード１６（または３０でもよい）が挿通されている。
【００４１】
補助具４４はケース部材４４ｂを有しており、ケース部材４４ｂは合成樹脂等から構成することができる。ケース部材４４ｂは、ケース本体４４ｃと、ケース本体４４ｃに対してヒンジ結合されて開閉可能であると共に閉塞状態で係止可能となった蓋４４ｄと、閉じた蓋４４ｄとケース本体４４ｃとによって画成される内部空間４４ｆと、蓋４４ｄまたはケース本体４４ｃのいずれかに形成された挿通孔４４ｇを有する。蓋４４ｄとケース本体４４ｃとは係止部を構成する。
【００４２】
以上の操作コード１６及び補助具４４とからなるブラインドの操作装置においては、操作コード１６を操作して移動させることにより、図示しない公知の操作力伝達部材を介してスラット１４の昇降または開閉動作を行なわせることができる。このように操作コード１６を操作しているときには、補助具４４は非使用状態にあり、補助具４４は操作される操作コード１６に対して自重によって常にそのループの最下部分から吊り下げられている。このため、補助具４４は操作コード１６の操作の邪魔になることはない。
【００４３】
反対に、ブラインドの操作を行わない操作コード１６の非使用状態にあるときには、補助具４４を使用する。具体的には、補助具４４を持ち上げて、蓋４４ｄを開けて挿通孔４４ｇを通して内部空間４４ｆとなる部分に操作コード１６の他の部分をまとめて入れて、蓋４４ｄを閉じると、操作コード１６が閉じた蓋４４ｄとケース本体４４ｃとの間に係止される。内部空間４４ｆに収容する操作コード１６の長さを適宜調整することによって、ヘッドボックス１０付近の上方で操作コード１６を見栄え良くまとめることができる。また、人やペットまたは家具等に操作コード１６が引っ掛かることを防止することができる。
【００４４】
図１５及び図１６は、本発明のブラインドの操作装置の第５実施例を表す図である。この実施例の補助具４６は、挿通部であるリング４６ａを有しており、該リング４６ａに操作コード１６（または３０でもよい）が挿通されている。
【００４５】
補助具４６は、先端部から係止部としてのスリット４６ｂが形成されるクリップ部材４６ｅを有しており、先端部４６ｃは操作コード１６を挿入しやすくなるように拡開され、スリット４６ｂは反対側端部に形成される基部４６ｄ近傍まで形成されている。補助具４６は合成樹脂等から構成されるため、基部４６ｄのスプリング効果によって、スリット４６ｂを若干押し広げることが可能となっている。
【００４６】
以上の操作コード１６及び補助具４６とからなるブラインドの操作装置においては、操作コード１６を操作して移動させることにより、図示しない公知の操作力伝達部材を介してスラット１４の昇降または開閉動作を行なわせることができる。このように操作コード１６を操作しているときには、補助具４６は非使用状態にあり、補助具４６は操作される操作コード１６に対して自重によって常にそのループの最下部分から吊り下げられている。このため、補助具４６は操作コード１６の操作の邪魔になることはない。
【００４７】
反対に、ブラインドの操作を行なわない操作コード１６の非使用状態にあるときには、補助具４６を使用する。具体的には、補助具４６を持ち上げて、補助具４６の先端部４６ｃから操作コード１６の他の部分を挿入し、スリット４６ｂに係止する。このとき、操作コード１６の他の部分は弾性に抗してスリット４６ｂを押し広げながら挿入されていくため、操作コード１６の他の部分は、スリット４６ｂにより確実に係止することができる。
【００４８】
これにより、ヘッドボックス１０付近の上方で操作コード１６を折り重ねることができるので、操作コード１６を見栄え良くまとめることができる。また、人やペットまたは家具等に操作コード１６が引っ掛かることを防止することができる。スリット４６ｂに操作コード１６を何重にも係止することで、操作コード１６を適当な長さにまとめることができる。
【００４９】
図１７は、本発明のブラインドの操作装置の第５実施例の変形例を表す図であり、この変形例の補助具４８は、挿通部であるリング部４８ａと、係止部としてのスリット４８ｂが形成されたクリップ部４８ｃとを一体に形成したものである以外は、第５実施例と同様であるので、詳細な説明は省略する。このようにして、部品点数を低減させることもできる。
【００５０】
以上の各実施形態によるブラインド操作装置においては、補助具に操作コードを係止するだけで、垂下する操作コードの長さを短く調整することができ、そのための作業は非常に簡単である。操作コードを元に戻す作業も簡単である。また、補助具の構成も非常に簡単であり部品点数も少ないために、低コストで製造することができる。
【図面の簡単な説明】
【００５１】
【図１】本発明の第１実施形態によるブラインド操作装置を含むブラインドの正面図である。
【図２】図１のブラインドの側面図である。
【図３】図１のブラインドの正面図であり、補助具の使用状態を表す。
【図４】第１実施形態によるブラインド操作装置の斜視図（補助具の不使用状態）である。
【図５】第１実施形態によるブラインド操作装置の斜視図（補助具の使用状態）である。
【図６】図３の補助具を他の操作コードに取り付けた場合を表すブラインドの正面図である。
【図７】図６のブラインドの正面図であり、補助具の使用状態を表す。
【図８】本発明のブラインド操作装置の第２実施形態を表す斜視図（補助具の不使用状態）である。
【図９】本発明のブラインド操作装置の第２実施形態を表す斜視図（補助具の使用状態）である。
【図１０】本発明のブラインド操作装置の第３実施形態を表す斜視図（補助具の不使用状態）である。
【図１１】本発明のブラインド操作装置の第３実施形態を表す斜視図（補助具の使用状態）である。
【図１２】本発明のブラインド操作装置の第３実施形態を表す側面図（補助具の使用状態）である。
【図１３】本発明のブラインド操作装置の第４実施形態を表す斜視図（補助具の不使用状態）である。
【図１４】本発明のブラインド操作装置の第４実施形態を表す斜視図（補助具の使用状態）である。
【図１５】本発明のブラインドの操作装置の第５実施例を表す斜視図（補助具の不使用状態）である。
【図１６】本発明のブラインドの操作装置の第５実施例を表す斜視図（補助具の使用状態）である。
【図１７】本発明のブラインドの操作装置の第５実施例の変形例を表す斜視図（補助具の不使用状態）である。
【符号の説明】
【００５２】
１６  操作コード
１８  補助具
１８ａ  リング（挿通部）
１８ｂ  カード状部材
１８ｅ  係止部
３０  操作コード
３４  操作つまみ
３６  補助コード
４０  補助具
４０ａ  リング（挿通部）
４０ｂ  挟持部（係止部）
４０ｃ  引掛部
４２  補助具
４２ａ  環状ボールチェーン（挿通部）
４２ｂ  カード状部材
４２ｃ  スリット（係止部）
４４  補助具
４４ａ  リング（挿通部）
４４ｃ  ケース本体（係止部）
４４ｄ  蓋（係止部）
４６  補助具
４６ａ  リング（挿通部）
４６ｂ  スリット（係止部）
４６ｅ  クリップ部材
４８  補助具
４８ａ  リング部（挿通部）
４８ｂ  スリット（係止部）
４８ｃ  クリップ部
【図１】
2006200326.tif 000003
【図２】
2006200326.tif 000004
【図３】
2006200326.tif 000005
【図４】
2006200326.tif 000006
【図５】
2006200326.tif 000007
【図６】
2006200326.tif 000008
【図７】
2006200326.tif 000009
【図８】
2006200326.tif 000010
【図９】
2006200326.tif 000011
【図１０】
2006200326.tif 000012
【図１１】
2006200326.tif 000013
【図１２】
2006200326.tif 000014
【図１３】
2006200326.tif 000015
【図１４】
2006200326.tif 000016
【図１５】
2006200326.tif 000017
【図１６】
2006200326.tif 000018
【図１７】
2006200326.tif 000019